(57)【要約】【課題】電源が必要な場所に運んで便利に使用することができるとともに、発電量を多くすることの可能な移動式太陽光発電装置を提供する。【解決手段】運搬可能な本体部１０と、本体部１０の上面に載置された上面ソーラーパネル１１，１２と、本体部１０の側面に折り畳み可能に連結された側面ソーラーパネル２１，２２，３１，３２，４１，４２，５１，５２とを有し、本体部１０の設置後に側面ソーラーパネル２１，２２，３１，３２，４１，４２，５１，５２を広げて、上面ソーラーパネル１１，１２及び側面ソーラーパネル２１，２２，３１，３２，４１，４２，５１，５２により発電するようにした。【選択図】図１
2016015836.tif 000002
【特許請求の範囲】
【請求項１】
運搬可能な本体部と、前記本体部の上面に載置された上面ソーラーパネルと、前記本体部の側面に折り畳み可能に連結された側面ソーラーパネルとを有し、本体部の設置後に前記側面ソーラーパネルを広げて、前記上面ソーラーパネル及び前記側面ソーラーパネルにより発電するようにしたことを特徴とする移動式太陽光発電装置。
【請求項２】
前記本体部を吊り下げて運搬するようにしたことを特徴とする請求項１に記載の移動式太陽光発電装置。
【請求項３】
前記本体部と前記側面ソーラーパネルとを、着脱可能なヒンジ部により連結したことを特徴とする請求項１又は請求項２に記載の移動式太陽光発電装置。
【請求項４】
前記本体部の内部に予備電源装置を備えたことを特徴とする請求項１乃至請求項３のうちいずれか１つに記載の移動式太陽光発電装置。
【発明の詳細な説明】
【技術分野】
【０００１】
本発明は、移動式の太陽光発電装置に関するものである。
【背景技術】
【０００２】
従来の太陽光発電装置は、太陽電池をいくつも並べて相互接続しパネル状にしたソーラーパネルを、家屋の屋根や地上に固定して使用する固定式のものが主流であった。
【０００３】
一方、特許文献１及び特許文献２には、走行輪を有する架台に折り畳み式のソーラーパネルを搭載した、移動式太陽光発電機に関する発明が記載されている。
【先行技術文献】
【特許文献】
【０００４】
【特許文献１】実用新案登録第３１６９４４１号公報
【特許文献２】特開２０１３−１９１７２８号公報
【発明の概要】
【発明が解決しようとする課題】
【０００５】
しかしながら、従来の固定式の太陽光発電装置は、設置に時間を要し、いったん設置してしまうとすぐには移動できない。従って、例えば災害時に電源供給が必要な場合に、現地に運んで使用することはできない。
【０００６】
一方、特許文献１及び特許文献２に記載された移動式太陽光発電機は、電源が必要な場所に運んで使用することはできるが、折り畳み式のソーラーパネルを架台の上に搭載したに過ぎず、ソーラーパネルの面積が限られるため発電量が多いとは言い難い。
【０００７】
本発明は、上記従来の課題を解決するものであり、電源が必要な場所に運んで便利に使用することができるとともに、発電量を多くすることの可能な移動式太陽光発電装置を提供するものである。
【課題を解決するための手段】
【０００８】
上記課題を解決するため、本発明の移動式太陽光発電装置は、運搬可能な本体部と、前記本体部の上面に載置された上面ソーラーパネルと、前記本体部の側面に折り畳み可能に連結された側面ソーラーパネルとを有し、本体部の設置後に前記側面ソーラーパネルを広げて、前記上面ソーラーパネル及び前記側面ソーラーパネルにより発電するようにしたことを特徴とする。
【０００９】
また好ましくは、前記本体部を吊り下げて運搬するようにしたことを特徴とする。
【００１０】
また好ましくは、前記本体部と前記側面ソーラーパネルとを、着脱可能なヒンジ部により連結したことを特徴とする。
【００１１】
また好ましくは、前記本体部の内部に予備電源装置を備えたことを特徴とする。
【発明の効果】
【００１２】
本発明によれば、運搬可能な本体部と、本体部の上面に載置された上面ソーラーパネルと、本体部の側面に折り畳み可能に連結された側面ソーラーパネルとを有しているので、例えば災害時に電源が必要な場所に運んで設置し、自由に使用することができる。そして、本体部の設置後に側面ソーラーパネルを広げて、上面ソーラーパネル及び側面ソーラーパネルにより発電するようにしたので、太陽光を受光するソーラーパネルの面積を容易に広くすることができ、太陽光による発電量を多くすることができる。
【００１３】
また、本体部を吊り下げて運搬するようにしたことにより、クレーン等で吊り上げてトラックの荷台等に載せて運搬することができ、運搬しやすい。
【００１４】
また、本体部と側面ソーラーパネルとを、着脱可能なヒンジ部により連結したことにより、側面ソーラーパネルを容易に交換することができる。また、設置場所の状態に応じて、側面ソーラーパネルの枚数を容易に変更することができる。
【００１５】
また、本体部の内部に予備電源装置を備えたことにより、夜間や雨天・曇天時の電源を確保して、安定的に電源供給を行うことができる。また、本体部の内部を有効に利用することができる。
【００１６】
以上、本発明によれば、電源が必要な場所に運んで便利に使用することができるとともに、太陽光による発電量を多くすることの可能な移動式太陽光発電装置を提供することができる。
【図面の簡単な説明】
【００１７】
【図１】本発明の実施形態に係る移動式太陽光発電装置の使用時の状態を示す平面図である。
【図２】移動式太陽光発電装置の使用時の状態を示す正面図である。
【図３】移動式太陽光発電装置の運搬時の状態を示す平面図である。
【図４】移動式太陽光発電装置の運搬時の状態を示す正面図である。
【図５】吊り下げ部を示す図である。
【図６】ヒンジ部を示す図である。
【図７】ヒンジ部を示す図である。
【図８】ヒンジ部材を示す図である。
【図９】ヒンジ部材を示す図である。
【図１０】側面ソーラーパネルの固定構造を示す図である。
【図１１】固定用ブラケットを示す図である。
【図１２】側面ソーラーパネルの支持構造を示す図である。
【発明を実施するための形態】
【００１８】
次に、図１乃至図１２を参照して、本発明の実施形態に係る移動式太陽光発電装置について説明する。まず、図１乃至図４を参照して、本実施形態に係る移動式太陽光発電装置１００の全体構成について説明する。図１及び図２は、移動式太陽光発電装置１００の使用時の状態を示す平面図及び正面図である。また、図３及び図４は、移動式太陽光発電装置１００の運搬時の状態を示す平面図及び正面図である。
【００１９】
図１乃至図４に示すように、本実施形態に係る移動式太陽光発電装置１００は、中央に配置された箱状の本体部１０を有している。本体部１０の上面には、上面ソーラーパネル１１，１２が載置されている。また、本体部１０の４つの側面には、側面ソーラーパネル２１，２２が載置された架台２０、側面ソーラーパネル３１，３２が載置された架台３０、側面ソーラーパネル４１，４２が載置された架台４０、側面ソーラーパネル５１，５２が載置された架台５０が、それぞれヒンジ部２を介して連結されている。
【００２０】
架台２０の端部は、本体部１０の１つの側面の上部に、ヒンジ部２を介して９０度回動するように連結されている。そして、図３及び図４に示す運搬時においては、架台２０（側面ソーラーパネル２１，２２）が本体部１０の側面に沿うように垂直方向に折り畳まれる。また、図１及び図２に示す使用時においては、架台２０（側面ソーラーパネル２１，２２）が本体部１０の上面と面一になるように水平方向に広げられる。架台３０、架台４０、架台５０についても同様である。そして、上面ソーラーパネル１１，１２及び側面ソーラーパネル２１，２２，３１，３２，４１，４２，５１，５２により発電が行われる。
【００２１】
このように、移動式太陽光発電装置１００は、運搬時にはコンパクトに折り畳まれるとともに、使用時には大きな面積のソーラーパネルにより発電を行うことができるようになっている。
【００２２】
本体部１０の上面の四隅には、吊り下げ部１が設けられている。吊り下げ部１は、図５に示すように、本体部１０の上面に固定された貫通孔を有する部材であり、４つの吊り下げ部１に各々フックを引っ掛けて、ワイヤーにより４点吊りにより吊り上げて、トラックの荷台等に載せることができるようになっている。
【００２３】
なお、図１における符号３は、増設スペースを示しており、必要に応じて別途ソーラーパネルを並べることのできるエリアになっている。
【００２４】
また、図２における符号４は、支持部材を示しており、使用時に広げた架台の下面と地面との間に取り付けて、側面ソーラーパネルを支えるようになっている。
【００２５】
次に、図６乃至図９を参照して、ヒンジ部２の構造について説明する。ここでは、本体部１０と架台２０とを連結するヒンジ部２について説明するが、架台３０，４０，５０についても同様である。図６は、架台２０を折り畳んだ状態のヒンジ部２の部分を示す正面図であり、図７は左側面図である。
【００２６】
図６及び図７に示すように、ヒンジ部２は、本体部１０に取り付けられたヒンジ部材１３と、架台２０に取り付けられたヒンジ部材２３とを組み合わせて構成されている。ヒンジ部材１３は、本体部１０の側面上部にねじ止め等により固定されている。また、ヒンジ部材２３は、架台２０の骨組材２４にねじ止め等により固定されている。
【００２７】
図８は、本体部１０側のヒンジ部材１３を示す（ａ）正面図、（ｂ）左側面図、（ｃ）平面図である。ヒンジ部材１３は、板状の基部１３ａと、基部１３ａに対して垂直に形成された係止部１３ｂとから構成されている。基部１３ａには、本体部１０への固定用のネジ止め孔１３ｄが形成されている。係止部１３ｂには、後述するヒンジ部材２３の係止ピン２３ｃが嵌着される係止溝１３ｃが形成されている。図８（ａ）に示すように、係止溝１３ｃは、入口側から奥側に向けて下部が深くなるように形成されている。
【００２８】
図９は、架台２０側のヒンジ部材２３を示す（ａ）正面図、（ｂ）左側面図、（ｃ）平面図である。ヒンジ部材２３は、板状の基部２３ａと、基部２３ａに対して垂直に形成された２つの係止部２３ｂ，２３ｂとから構成されている。基部２３ａには、架台２０の骨組材２４への固定用のネジ止め孔２３ｄが形成されている。２つの係止部２３ｂ，２３ｂは平行に配置されており、両者の間には、前述したヒンジ部材１３の係止溝１３ｃに嵌着される係止ピン２３ｃが設けられている。なお、係止ピン２３ｃは上面が平らなかまぼこ型の断面形状になっている。
【００２９】
架台２０を本体部１０に連結するには、ヒンジ部材２３の係止ピン２３ｃを、ヒンジ部材１３の係止溝１３ｃの入口から挿入し、係止溝１３ｃの奥側の深くなっている部分に嵌着させる。これにより、架台２０（側面ソーラーパネル２１，２２）が本体部１０に折り畳み可能に連結される。また、架台２０を取り外す場合には、架台２０を持ち上げながら、係止ピン２３ｃを係止溝１３ｃから外せばよい。このように、ヒンジ部２は、着脱可能に構成されている。
【００３０】
次に、図１０及び図１１を参照して、運搬時における架台（側面ソーラーパネル）の固定構造について説明する。図１０は、側面ソーラーパネルの固定構造を示す図であり、図１１は、固定用ブラケットを示す図である。ここでは、架台２０の固定構造について説明するが、架台３０，４０，５０についても同様である。
【００３１】
運搬時において架台２０は、本体部１０の側面に沿うように垂直方向に折り畳まれる。このとき、架台２０を固定しないと不安定となり運搬時の破損等の恐れがあるため、架台２０の下端部を本体部１０の側面に固定する。固定には、固定用ブラケット５を使用する。
【００３２】
図１０及び図１１に示すように、固定用ブラケット５は、板状の基部５ａと、基部５ａに対して垂直に形成された支持部５ｂと、支持部５ｂに対して垂直に形成された押さえ部５ｃとから形成されている。基部５ａには、本体部１０への固定用のネジ止め溝５ｄが形成されている。
【００３３】
運搬時に架台２０を折り畳んだのち、図１０に示すように、架台２０の下端部と骨組材２５に合わせて固定用ブラケット５を装着し、基部５ａを本体部１０にボルトナット６により固定する。これにより、架台２０を安定的に固定し運搬時の破損等を防止することができる。なお、図１０における符号７は、ゴムパッキン等の緩衝材である。
【００３４】
次に、図１２を参照して、使用時における架台（側面ソーラーパネル）の支持構造について説明する。側面ソーラーパネルの支持構造は、図２に示すような垂直な支持部材４を用いてもよいが、図１２に示すような支持構造とすることもできる。ここでは、架台２０の支持構造について説明するが、架台３０，４０，５０についても同様である。
【００３５】
図１２に示す支持構造は、支持部材８及び支持部材９を使用したものである。支持部材８は、上端が架台２０の骨組材２４にねじ止め等により固定され、下端が本体部１０の側面の下部にねじ止め等により固定されている。そして、支持部材８の中間部分と支持部材９の上端部が接続され、支持部材９の下端部が地面に接している。以上の構成により、使用時に架台２０を安定的に支持することができる。
【００３６】
なお、本体部の内部は空きスペースであるので、パワーステーション、分電盤、電力切替ユニット、バックアップ用住宅分電盤、リモコン設定器、リチウムイオン蓄電池ユニット、マルチ接続箱、エンジン発電機等の装置を収納しておくことができる。特に、蓄電池ユニットや発電機等の予備電源装置を備えておくことにより、夜間や雨天・曇天時の電源を確保して、安定的に電源供給を行うことができる。
【００３７】
本実施形態に係る移動式太陽光発電装置１００によれば、運搬可能な本体部１０と、本体部１０の上面に載置された上面ソーラーパネル１１，１２と、本体部１０の側面に折り畳み可能に連結された側面ソーラーパネル２１，２２，３１，３２，４１，４２，５１，５２とを有しているので、例えば災害時に電源が必要な場所に運んで設置し、自由に使用することができる。そして、本体部１０の設置後に側面ソーラーパネル２１，２２，３１，３２，４１，４２，５１，５２を広げて、上面ソーラーパネル１１，１２及び側面ソーラーパネル２１，２２，３１，３２，４１，４２，５１，５２により発電するようにしたので、太陽光を受光するソーラーパネルの面積を容易に広くすることができ、太陽光による発電量を多くすることができる。
【００３８】
また、本体部１０を吊り下げて運搬するようにしたことにより、クレーン等で吊り上げてトラックの荷台等に載せて運搬することができ、運搬しやすい。
【００３９】
また、本体部１０と側面ソーラーパネル２１，２２，３１，３２，４１，４２，５１，５２とを、着脱可能なヒンジ部２により連結したことにより、側面ソーラーパネル２１，２２，３１，３２，４１，４２，５１，５２を容易に交換することができる。また、設置場所の状態に応じて、側面ソーラーパネル２１，２２，３１，３２，４１，４２，５１，５２の枚数を容易に変更することができる。
【００４０】
また、本体部１０の内部に予備電源装置を備えたことにより、夜間や雨天・曇天時の電源を確保して、安定的に電源供給を行うことができる。また、本体部１０の内部を有効に利用することができる。
【００４１】
以上、本実施形態に係る移動式太陽光発電装置１００によれば、電源が必要な場所に運んで便利に使用することができるとともに、太陽光による発電量を多くすることができる。
【００４２】
以上、本発明の実施形態に係る移動式太陽光発電装置について説明したが、本発明は上述した実施の形態に限定されるわけではなく、その他種々の変更が可能である。例えば、本体部は、箱状に限らず、上面と側面を有する形状であればよい。
【００４３】
また、側面ソーラーパネルは、すべての側面に連結することが好ましいが、側面ソーラーパネルを連結しない側面があってもよい。
【００４４】
また、本体部の上面や、１つの架台に載置するソーラーパネルの枚数は、特に限定されない。
【００４５】
また、本体部の運搬方法は、吊り下げに限らず、例えばフォークリフト等により持ち上げるようにしてもよい。
【００４６】
また、使用時に上面ソーラーパネル及び側面ソーラーパネルが、太陽に向いて傾斜して配置されるように、本体部や支持部材の形状を変更してもよい。
【００４７】
また、運搬時の固定方法や使用時の支持方法についても、適宜変更が可能である。
【符号の説明】
【００４８】
１  吊り下げ部
２  ヒンジ部
３  増設スペース
４  支持部材
５  ブラケット
６  ボルトナット
７  緩衝材
８  支持部材
９  支持部材
１０  本体部
１１  ソーラーパネル
１２  ソーラーパネル
１３  ヒンジ部材
２０  架台
２１  ソーラーパネル
２２  ソーラーパネル
２３  ヒンジ部材
２４  骨組材
３０  架台
３１  ソーラーパネル
３２  ソーラーパネル
４０  架台
４１  ソーラーパネル
４２  ソーラーパネル
５０  架台
５１  ソーラーパネル
５２  ソーラーパネル
１００  移動式太陽光発電装置
【図１】
2016015836.tif 000003
【図２】
2016015836.tif 000004
【図３】
2016015836.tif 000005
【図４】
2016015836.tif 000006
【図５】
2016015836.tif 000007
【図６】
2016015836.tif 000008
【図７】
2016015836.tif 000009
【図８】
2016015836.tif 000010
【図９】
2016015836.tif 000011
【図１０】
2016015836.tif 000012
【図１１】
2016015836.tif 000013
【図１２】
2016015836.tif 000014